(57)【要約】【課題】  映像の視聴を極力妨げることなく、使い勝手よく録画／再生機器の操作等を行うことができる機器操作画面表示装置等を提供する。【解決手段】  録画／再生装置１０４を操作するためのボタン画像及び録画／再生装置１０４のステータス情報を表示する領域を有するメインコントロールパネル３０１と、録画／再生装置１０４を操作するためのボタン画像及び録画／再生装置の状態情報の全部又は一部をメインコントロールパネル３０１よりも小さく表示させるための簡易コントロールパネル３０１とを切り換えて表示させる操作画面表示信号１１５を送信する操作画面制御部１０２と、操作画面表示信号１１５に基づく表示を、入力される復号化映像・音声信号１１９に基づく映像に重畳してテレビモニタ１０８に表示させる外部出力信号１２０を生成する外部出力部１０７とを備えたものである。【選択図】        図１
2006025126.tif 000002
【特許請求の範囲】
【請求項１】
録画／再生装置を操作するためのボタン画像及び前記録画／再生装置の状態情報を表示する領域を有する第１の操作画面と、前記録画／再生装置を操作するためのボタン画像及び録画／再生装置の状態情報の全部又は一部を前記第１の操作画面よりも小さく表示させるための第２の操作画面とを切り換えて表示させる操作画面表示信号を送信する操作画面制御部と、
前記操作画面表示信号に基づく表示を、入力される映像信号に基づく映像に重畳して表示手段に表示させる信号を生成する重畳処理部と
を備えたことを特徴とする機器操作画面表示装置。
【請求項２】
請求項１に記載の機器操作表示装置において、
前記操作画面制御部は、ある操作入力信号が送信される度に、前記第１の操作画面の表示、前記第２の操作画面の表示又は操作画面非表示を切り換えるための操作画面表示信号を送信することを特徴とする機器操作画面表示装置。
【請求項３】
請求項１に記載の機器操作表示装置において、
前記操作画面制御部は、ある操作入力信号が送信される度に、前記第１の操作画面の表示と操作画面非表示とを切り換えるための基づく操作画面表示信号を送信し、
前記ある操作入力信号と別の操作入力信号が送信される度に、前記第２の操作画面の表示と操作画面非表示とを切り換えるための操作画面表示信号を送信することを特徴とする機器操作画面表示装置。
【請求項４】
請求項１に記載の機器操作表示装置において、
前記操作画面制御部は計時手段を有し、該計時手段の計時に基づいて、あらかじめ定められた操作指示についての前記操作入力信号が所定時間が経過しても入力されないものと判断すると、前記第１の操作画面と前記第２の操作画面とを切り換えて表示させる操作画面表示信号を送信することを特徴とする機器操作画面表示装置。
【請求項５】
請求項１に記載の機器操作表示装置において、
前記操作画面制御部は、前記操作画面の表示位置に関する設定のデータを記憶する記憶手段を有し、前記設定のデータに基づいて、前記前記第１の操作画面及び／又は前記第２の操作画面を、設定された表示位置に表示させる操作画面表示信号を送信することを特徴とする機器操作画面表示装置。
【請求項６】
請求項１に記載の機器操作表示装置において、
前記画面制御部は、前記表示手段の表示画面の縦横比のデータと送信される映像の信号に含まれる映像の縦横比のデータとに基づいて、記憶手段に記憶されたパターンデータの中から、前記表示画面上に映像が表示されない領域の有無を判定し、映像が表示されない領域があれば、前記領域に前記操作画面を表示させる操作画面表示信号を送信することを特徴とする機器操作画面表示装置。
【請求項７】
請求項１〜６に記載の機器操作画面表示装置を備え、外部接続された録画／再生装置を操作するためのコマンド信号を送信し、前記録画／再生装置の状態情報のデータを含む信号を受信し、さらに表示手段に映像を表示させることを特徴とする放送受信機。
【請求項８】
請求項１〜６に記載の機器操作画面表示装置を内蔵したことを特徴とする録画／再生機。
【発明の詳細な説明】
【技術分野】
【０００１】
本発明は、例えば、映像を録画、再生する録画／再生機器の操作機能の内容等が表示される操作画面を、映像に重畳して表示手段の表示画面上に表示させることができる機器操作画面表示装置及びその装置を内蔵した機器に関するものである。
【背景技術】
【０００２】
従来、ビデオデッキ、ＤＶＤレコーダ等の例えば録画／再生機器（映像の録画、再生等を行う機器。以下、映像の録画、再生等を前提に説明するが、音声の録音、再生も同時に行うことができる）と表示手段との間に接続され、録画／再生機器を制御可能なデジタル放送受信機等の機器は、その機器から本来出力される映像の画面に加え、仮想的な操作ボタン等を有する例えばコントロールパネルからなる機器操作画面（以下、操作画面という）を重畳して表示し、画面表示に基づくグラフィカルユーザインタフェース（以下、ＧＵＩという）を用いた録画／再生機器の操作を行うことができる。このとき、通常、操作画面が映像よりも前面に表示される。操作者（視聴者）は、画面に表示された操作ボタンを画像に基づいて選択等することにより、録画／再生機器の操作（制御）をすることができる。また、操作画面は録画、再生等、機器を操作するボタンだけでなく、操作状況、録画／再生機器の状態等も表示することができ、従来の操作画面はこれらの表示が１つの画面で構成されている（例えば非特許文献１及び２参照）。
【非特許文献１】地上・ＢＳ・１１０度ＣＳデジタルハイビジョンテレビ取扱説明書（テレビ編）、Ｐ．５０〜Ｐ．５１、松下電器産業株式会社
【非特許文献２】地上・ＢＳ・１１０度ＣＳデジタルハイビジョンチューナ取扱説明書、Ｐ．８９〜Ｐ．１０９、ソニー株式会社
【発明の開示】
【発明が解決しようとする課題】
【０００３】
このように従来、映像に重畳して表示される操作画面は、操作ボタン画像表示、状態表示等で１つの画面を構成しているため、占有面積が大きく、操作画面を前面に重畳して表示したままだと視聴者（操作者）が映像を視聴するのに邪魔になる。そのため、操作等を行わない場合には、視聴者は操作画面を重畳させず非表示にする。この場合、例えば、再生中に数分後の映像を再生する場合、操作画面を表示させ、早送りボタン、再生ボタンを画像に基づいて選択後、再度操作画面を非表示にするというように、操作を行う度に操作画面を表示、非表示を繰り返す必要があり、視聴者にとって使い勝手が必ずしもよい状態とはいえなかった。
【０００４】
本発明は上記のような問題点を解消するためになされたもので、視聴を極力妨げることなく、使い勝手よく録画／再生機器の操作等を行うことができる機器操作画面表示装置等を提供することを目的とする。
【課題を解決するための手段】
【０００５】
本発明に係る機器操作画面表示装置は、録画／再生機器を操作するためのボタン画像及び録画／再生機器の状態情報を表示する領域を有する第１の操作画面と、録画／再生機器を操作するためのボタン画像及び録画／再生機器の状態情報の全部又は一部を第１の操作画面よりも小さく表示させるための第２の操作画面とを切り換えて表示させる操作画面表示信号を送信する操作画面制御部と、操作画面表示信号に基づく表示を、入力される映像信号に基づく映像に重畳して表示手段に表示させる信号を生成する重畳部とを備えたものである。
【発明の効果】
【０００６】
本発明によれば、映像に重畳して表示手段に表示させる操作画面について、操作画面制御部が、判断に基づいて第１の操作画面と第２の操作画面の２種類の操作画面を切り換えて表示させる操作画面表示信号を送信するようにしたので、例えば視聴者が録画／再生機器の状態表示を知りたい場合には第１の操作画面を表示させるようにし、映像を見る場合には、表示領域が小さい第２の操作画面を表示させておくようにすることで、映像を見るため操作画面を非表示にしておき、操作を行おうとする度に操作画面を表示させるという視聴者の煩わしさを解消し、使い勝手のよい録画／再生機器の操作等を行うことができる機器操作画面表示装置を得ることができる。
【発明を実施するための最良の形態】
【０００７】
実施の形態１．
図１は本発明の第１の実施の形態に係る機器操作画面表示装置を備えたデジタル放送受信機１０１を中心とするシステム構成を表す図である。図１において、デジタル放送受信機（チューナ）１０１は、操作画面制御部１０２、入出力部１０３、映像・音声処理部１０５、アンテナ受信部１０６、外部出力部１０７及び操作入力部又はリモコン受信部１０９で構成される。操作画面制御部１０２は、視聴者がデジタル放送受信機１０１の本体又はリモートコントローラの操作ボタンを押下することによって操作入力部又はリモコン受信部１０９から送信される操作入力信号１１１に基づいて、外部機器（本実施の形態では録画／再生機器１０４）に対する操作指示のコマンド信号１１２を送信する。また、録画／再生機器１０４から入出力部１０３を介して送信されるステータス情報信号１１４、前述した操作入力信号１１１を受信し、録画／再生機器１０４を操作するためのボタン画像、ステータス情報等を有する操作画面を表示等させるための操作画面表示信号１１５を生成し、外部出力部１０７に送信する。入出力部１０３は、高速デジタルインタフェース（例えばＩＥＥＥ１３９４）による外部の機器（本実施の形態では録画／再生機器１０４）との間で行われる各種信号の送受信を制御をする。特に、本実施の形態では操作画面制御部１０２から送信されたコマンド信号に基づいて、操作指示をＡＶ／Ｃコマンドのデータに変換し、そのデータを含むＡＶ／Ｃコマンド信号１１３を録画／再生機器１０４に送信する。
【０００８】
また、映像・音声処理部１０５は映像・音声に関する処理を行う。例えば、トランスポートストリーム（以下、ＴＳという）又はパーシャルＴＳ形式の、符号化された映像・音声データを含む信号（以下、符号化映像・音声信号という）に基づいて復号化処理を行う（復号化した映像・音声データを含む信号を以下、復号化信号という）。ＴＳとは、映像・音声のデータを固定長パケット化し、複数のプログラム（番組、チャンネル等）の映像・音声データを多重化して映像・音声信号とする形式である。また、パーシャルＴＳとは、ＴＳのうち、１つのプログラムの映像・音声データだけが含まれたものである。本実施の形態における映像・音声処理部１０５は、特に、アンテナ受信部１０６から送信される、複数のプログラムの映像・音声データが多重化された符号化映像・音声信号１１７について、特定のプログラムの映像・音声データだけを抽出して復号化処理し、復号化映像・音声信号１１９を外部出力部１０７に送信する。また、抽出した映像・音声データを含む、パーシャルＴＳ形式の符号化映像・音声信号１１８を、入出力部１０３を介して録画／再生機器１０４に送信する。逆に、入出力部１０３を介して録画／再生機器１０４から送信されるパーシャルＴＳ形式の符号化映像・音声信号１２１を復号化処理し、復号化映像・音声信号１１９を外部出力部１０７に送信する。
【０００９】
アンテナ受信部１０６はデジタル放送電波１１６を受信し、その電波中の信号から符号化映像・音声信号１１７と付加情報のデータを含む信号とに分離する。重畳処理部となる外部出力部１０７は、前述した復号化映像・音声信号１１９と操作画面表示信号１１５とが入力される。そして、復号化した映像・音声信号１１９に操作画面表示信号１１５を重畳（インポーズ）して、外部出力信号１２０を出力する。ここで、操作画面表示信号１１５に操作画面を表示するための画像データが含まれていない場合には、映像・音声信号１１９に基づく映像・音声のデータだけが外部出力信号１２０に含まれ、映像だけがテレビモニタ１０８の表示画面上に表示されることになる。本実施の形態においては、外部出力部１０７と操作画面制御部１０２とで機器操作画面表示装置を構成する。
【００１０】
録画／再生機器１０４は、本実施の形態では、ケーブル（例えばＩＥＥＥ１３９４ケーブル）により入出力部１０３（デジタル放送受信機１０１）と接続されている。そして、パーシャルＴＳ形式の符号化映像・音声信号１１８、１２１の送受信を映像・音声処理部１０５との間で行う。また、ＡＶ／Ｃコマンド信号１１３に含まれる、外部機器を制御するための標準規格であるＡＶ／Ｃコマンドのデータに基づく処理を行う。表示手段であるテレビモニタ１０８は、外部出力信号１２０に基づく表示を行う。
【００１１】
図２は操作画面制御部１０２の構成を表す図である。操作画面制御部１０２は、少なくともデータ処理手段１０２Ａ、記憶手段１０２Ｂ及びタイマ手段１０２Ｃで構成される。データ処理手段１０２Ａは、さらに操作入力判断部１０２Ａ−１、操作画面表示制御部１０２Ａ−２及びステータス情報処理部１０２Ａ−３で構成される。操作入力判断部１０２Ａ−１は、操作入力信号１１１に基づいて視聴者からの操作指示内容を判断処理したデータに基づいて、録画／再生機器１０４に対する操作指示のコマンド信号１１２を送信する。操作画面表示制御部１０２Ａ−２は、表示させる操作画面（後述するコントロールパネル）を決定し、決定に基づいた操作画面（コントロールパネル）の画像データ等を記憶手段１０２Ｂから読み込む。そして、操作画面の画像と共に、操作画面の所定の領域に、操作入力判断部１０２Ａ−１、ステータス情報処理部１０２Ａ−３の処理に基づく表示を行わせる操作画面表示信号１１５を送信する。ステータス情報処理部１０２Ａ−３は、ステータス情報信号１１４を処理し、録画／再生機器１０４のメーカ、機種等、動作状況等のステータス情報（状態の情報）のデータを作成する。
【００１２】
記憶手段１０２Ｂは、少なくとも後述するような２種類のコントロールパネルの表示用画像データを記憶する。また、操作画面表示信号１１５の生成処理に操作画面表示制御部１０２Ａ−２が必要とするデータ（例えば、テレビモニタ１０８の縦横比率のデータ、視聴者に設定されたコントロールパネルの表示位置に関するデータ等）を記憶する。タイマ手段１０２Ｃは計時を行う。ここで、操作画面制御部１０２のデータ処理手段１０２Ａ、記憶手段１０２Ｂ、タイマ手段１０２Ｃは、デジタル放送受信機１００内の他の部において処理等を行うデータ処理手段、記憶手段等と共有させて用いるようにしてもよい。また、データ処理手段１０２Ａはマイクロコンピュータ等で構成され、データ処理手段１０２Ａの各部の処理は、実際には、例えば記憶手段１０２に記憶されたプログラムに基づいてマイクロコンピュータが処理を実行して実現することが多い。
【００１３】
本実施の形態における、デジタル放送受信機１０１では、録画／再生機器１０４の操作、ステータス（状態）表示等の表示エリアからなる操作画面（後述するメインコントロールパネル２０１）の他に、録画／再生機器１０４を操作するために必要なボタンの画像だけで構成される、表示面積の小さな操作画面（簡易コントロールパネル３０１）を表示できるようにし、視聴者がＧＵＩによる操作指示を行えるようにする。そして、２種類の操作画面を切り換えて表示させるようにすることで、背景となる映像の視聴を邪魔せずに操作指示を行えるため、視聴者は操作をしようとする度に表示、非表示を繰り返さずにすむ。視聴者からの操作指示を判断し、その操作指示のコマンド信号を録画／再生機器１０４に送信し、テレビモニタ１０８に表示される操作画面の制御を行うのが操作画面制御部１０２である。操作画面制御部１０２は、操作画面の表示切り換えを決定し、その決定に合わせた操作画面表示信号１１５を作成する。なお、ここでは、視聴者の録画／再生機器１０４への操作指示は、すべてデジタル放送受信機１０１を介して行われるものとする。
【００１４】
次に、アンテナ受信部１０６で受信したデジタル放送電波１１６に基づく映像・音声を録画／再生機器１０４にて録画する際の処理過程をデジタル放送受信機１０１の各部の動作を中心に説明する。視聴者がリモートコントローラ又は本体から録画ボタンを押下することにより、操作入力部又はリモコン受信部１０９からは録画操作指示のデータを含む操作入力信号１１１が操作画面制御部１０２に送信される。操作画面制御部１０２（特に操作入力判断部１０２Ａ−１）は、入出力部１０３に、録画開始の操作指示を含むコマンド信号１１２を送信する。
【００１５】
入出力部１０３では受信したコマンド信号１１２を外部機器を制御するための標準規格であるＡＶ／Ｃコマンド信号１１３に変換して、例えばＩＥＥＥ１３９４ケーブルを介して録画／再生機器１０４に送信する。録画／再生機器１０４は受信したＡＶ／Ｃコマンド信号に含まれる録画開始の操作指示に基づいて録画処理を開始する。
【００１６】
録画／再生機器１０４は受信したパーシャルＴＳ形式の符号化映像・音声信号１１８に含まれる映像・音声のデータを磁気テープ、光ディスク又は機器に内蔵しているハードディスクドライブ等の記録媒体に記録する。
【００１７】
録画処理において記録される映像・音声のデータは、デジタル放送電波１１６からアンテナ受信部１１６が分離したＴＳ形式の符号化映像・音声信号１１７に基づいて、映像・音声処理部１０５が所定の映像・音声データを抽出処理し、パーシャルＴＳ形式の符号化映像・音声信号１１８として入出力部１０３を介して送信するものである。
【００１８】
また、映像・音声処理部１０５はパーシャルＴＳ形式の符号化映像・音声信号１１８の送信と共に、符号化映像・音声データ１１７を復号化処理し、復号化映像・音声信号１１９を外部出力部１０７に送信する。外部出力部１０７は復号化映像・音声信号１１９に、操作画面制御部１０２から送信される操作画面表示信号１１５を重畳した外部出力信号１２０をテレビモニタ１０８に送出する。テレビモニタ１０８は外部出力信号１２０に基づく表示を行う。
【００１９】
次に録画／再生機器１０４の再生による映像をテレビモニタ１０８に表示する際の処理過程を、デジタル放送受信機１０１の各部の動作を中心に説明する。視聴者がリモートコントローラ又は本体から再生ボタンを押下することにより、操作入力部又はリモコン受信部１０９からは再生操作指示のデータを含む操作入力信号１１１が操作画面制御部１０２に送信される。操作画面制御部１０２（特に操作入力判断部１０２Ａ−１）は、入出力部１０３に、再生開始の操作指示を含むコマンド信号１１２を送信する。
【００２０】
入出力部１０３は受信したコマンド信号１１２をＡＶ／Ｃコマンド信号１１３に変換して、例えばＩＥＥＥ１３９４ケーブルを介して録画／再生機器１０４に送信する。録画／再生機器１０４は受信したＡＶ／Ｃコマンド信号に含まれる録画開始の操作指示に基づいて再生処理を開始する。
【００２１】
録画／再生機器１０４の再生により、パーシャルＴＳ形式の符号化映像・音声信号１２１が、例えばＩＥＥＥ１３９４ケーブル、入出力部１０３を介して映像・音声処理部１０５に送信される。映像・音声処理部１０５は符号化映像・音声信号１１８に基づいて復号化し、復号化映像・音声信号１１９を外部出力部１０７に送信する。外部出力部１０７は出力する映像・音声信号１１９に、操作画面制御部１０２より送られる操作画面表示信号１１５を重畳し、外部出力信号１２０としてテレビモニタ１０８に送出する。テレビモニタ１０８は外部出力信号１２０に基づく表示を行う。
【００２２】
図３はメインコントロールパネル（第１の制御画面）の一例である。メインコントロールパネルは、録画／再生機器１０４の操作用ボタン（以下、こちらのボタンを仮想ボタンといい、実在する本体又はリモートコントローラのボタンをボタンという）の画像、録画／再生機器１０４のステータス情報等を１つの操作画面で表示する。図３では記録媒体として磁気テープを用いた録画／再生機器１０４を対象としている。２０１はメインコントロールパネル、２０２は接続している録画／再生機器のメーカ名・型名表示エリア、２０３は操作制御ボタンエリア、２０４は状態表示エリア、２０５はテープカウンター表示エリア、２０６はテープ種類表示エリアの画面構成となっている。ここで、メーカ名・型名エリア、状態表示エリア、テープカウンター表示エリア及びテープ種類表示エリアは、ステータス情報信号１１４に基づいてステータス情報処理部１０２Ａ−３が処理して得られたデータを操作画面表示制御部２０１Ａ−２が操作画面とともに表示したものである。
【００２３】
操作制御ボタンエリア２０３は、さらに「電源」、「録画」、「再生」、「停止」、「早送り」、「巻戻し」、「次番組」、「前番組」及び「一時停止」の各仮想ボタンの画像が表示されて構成される。視聴者がリモートコントローラ等の方向ボタン（カーソルボタン）を押下して送信される操作入力信号１１１に基づいて、指示された方向及びそれにより選択された仮想ボタンの操作指示内容を判断処理する。操作画面表示制御部１０２Ａ−２は、操作入力判断部１０２Ａ−１の処理に基づいて、選択された仮想ボタンの画像を、例えば色を変化させる等、選択されていないときや他の仮想ボタンの画像とは区別した表示が行われるような操作画面表示信号１１５を送信する。
【００２４】
視聴者は、テレビモニタ１０８に表示された操作画面に基づいて、操作を行いたい仮想ボタンが選択されると、決定ボタンを押下する。操作入力信号１１１に基づいて、決定された仮想ボタンの操作指示内容を判断処理した操作入力判断部１０２Ａ−１は、決定された仮想ボタンに合った操作指示内容のデータを作成し、そのデータに基づいて、録画／再生機器１０４に対する操作指示のコマンド信号１１２を送信する。コマンド信号１１２は、入出力部１０３においてＡＶ／Ｃコマンドのデータに変換され、そのデータを含むＡＶ／Ｃコマンド信号１１３が録画／再生機器１０４に送信される。
【００２５】
図４は簡易コントロールパネル（第２の制御画面）の一例である。簡易コントロールパネル３０１は、操作制御ボタンエリア３０２のみの画面構成となっている。
【００２６】
操作制御ボタンエリア３０２は、さらに「再生」、「停止」、「早送り」、「巻戻し」、「次番組」及び「前番組」の各仮想ボタン画像が表示されて構成される。簡易コントロールパネル３０１は、メインコントロールパネル２０１より表示、選択される仮想ボタン数も少ない。簡易コントロールパネル３０１が表示された場合についても、前述したメインコントロールパネル２０１の場合と同様に、視聴者による仮想ボタンの選択及び決定が行われると、その仮想ボタンの操作指示内容に合わせたＡＶ／Ｃコマンド信号１１３が録画／再生機器１０４に送信される処理が行われる。
【００２７】
ここで、メインコントロールパネル２０１、簡易コントロールパネル３０１について、任意に又は複数の表示位置の中から選択してテレビモニタ１０８の表示画面上での表示位置を視聴者が設定することができるものとする。これにより、映像内容に基づいて、邪魔にならない位置にコントロールパネルを表示させることが可能である。設定されたデータは記憶手段１０２Ｂに記憶しておく。ここでは、メインコントロールパネル２０１、簡易コントロールパネル３０１の両方について、それぞれ表示位置を設定できるものとするが、どちらか一方について設定を行えるようにしてもよい。
【００２８】
図５はメインコントロールパネル２０１と簡易コントロールパネル３０１との表示切換の一例を表す図である。本実施の形態では、上述したメイン２０１と簡易コントロールパネル３０１とを表示切換するための制御について説明する。ここでは、リモートコントローラ（図示せず）からの信号を受信してリモコン受信部１０９が受信し、送信する操作入力信号１１１に基づいて操作画面制御部１０２が処理を行うものとする。
【００２９】
録画／再生機器１０４の操作画面（コントロールパネル）表示制御（表示、非表示等）用に割り当てたリモートコントローラのボタンを「ボタンＡ」と定義する。メインコントロールパネル２０１、簡易コントロールパネル３０１が共に非表示状態の場合（４０１の状態）に、視聴者が「ボタンＡ」を押下すると、その操作入力信号１１１に基づいて、操作入力判断部１０２Ａ−１は操作指示内容が操作画面表示制御であるものと判断する。操作画面表示制御部２０１Ａ−２は、操作入力判断部１０２Ａ−１の判断処理内容に基づいて、メインコントロールパネル２０１を表示させるための操作画面表示信号１１５を送信する。これにより、テレビモニタ１０８は、メインコントロールパネル２０１が表示された状態（４０２の状態）の画面表示となる。
【００３０】
視聴者が次に「ボタンＡ」を押下すると、操作入力判断部１０２Ａ−１は操作指示内容が操作画面表示制御であるものと判断する。操作画面表示制御部２０１Ａ−２は、操作入力判断部１０２Ａ−１の判断処理内容に基づいて、簡易コントロールパネル３０１を表示させるための操作画面表示信号１１５を送信する。これにより、テレビモニタ１０８は、メインコントロールパネル２０１が消去され、簡易コントロールパネル３０１が表示された状態（４０３の状態）の画面表示となる。
【００３１】
視聴者がさらに「ボタンＡ」を押下すると、操作入力判断部１０２Ａ−１は操作指示内容が操作画面表示制御であるものと判断する。操作画面表示制御部２０１Ａ−２は、操作入力判断部１０２Ａ−１の判断処理内容に基づいて、コントロールパネルの画像が含まれない非表示の旨の操作画面表示信号１１５を送信する（又は操作画面表示信号１１５を送信しない）。これにより、テレビモニタ１０８の表示画面上では、簡易コントロールパネル３０１が消去され、メインコントロールパネル２０１、簡易コントロールパネル３０１が共に非表示状態（４０１の状態）に戻る。つまり、非表示／メインコントロールパネル２０１の表示／簡易コントロールパネル３０１の表示切換を「ボタンＡ」のトグル動作により実現する。
【００３２】
図６はメインコントロールパネル２０１と簡易コントロールパネル３０１との表示切換の他の例を表す図である。メインコントロールパネル２０１、簡易コントロールパネル３０１が共に非表示状態の場合（５０１の状態）に、視聴者が「ボタンＡ」を押下すると、その操作入力信号１１１に基づいて、操作入力判断部１０２Ａ−１は操作指示内容が操作画面表示制御であるものと判断する。操作画面表示制御部２０１Ａ−２は、操作入力判断部１０２Ａ−１の判断処理内容に基づいて、メインコントロールパネル２０１を表示させるための操作画面表示信号１１５を送信する。これにより、テレビモニタ１０８は、メインコントロールパネル２０１が表示された状態（５０２の状態）の画面表示となる。再度「ボタンＡ」を押下すると、操作入力判断部１０２Ａ−１は操作指示内容が操作画面表示制御であるものと判断する。操作画面表示制御部２０１Ａ−２は、操作入力判断部１０２Ａ−１の判断処理内容に基づいて、コントロールパネル２０１の画像が含まれない非表示の旨の操作画面表示信号１１５を送信する（又は操作画面表示信号１１５を送信しない）。これにより、テレビモニタ１０８の表示画面上では、メインコントロールパネル２０１が消去され、メインコントロールパネル２０１、簡易コントロールパネル３０１が共に非表示状態（５０１の状態）に戻る。
【００３３】
一方、メインコントロールパネル２０１、簡易コントロールパネル３０１が共に非表示状態の場合（５０１の状態）に、視聴者が「ボタンＢ」を押下すると、その操作入力信号１１１に基づいて、操作入力判断部１０２Ａ−１は操作指示内容が操作画面表示制御であるものと判断する。操作画面表示制御部２０１Ａ−２は、操作入力判断部１０２Ａ−１の判断処理内容に基づいて、簡易コントロールパネル３０１を表示させるための操作画面表示信号１１５を送信する。これにより、テレビモニタ１０８は、簡易コントロールパネル３０１が表示された状態（５０３の状態）の画面表示となる。再度「ボタンＢ」を押下すると、「ボタンＡ」を押下したときと同様に、メインコントロールパネル２０１、簡易コントロールパネル３０１が共に非表示状態（５０１の状態）に戻る。つまり、メインコントロールパネル２０１の表示切換用のボタンと簡易コントロールパネル３０１の表示切換のボタンとを独立させ、それぞれのボタンのトグル動作でそれぞれのコントロールパネル表示切換を実現する。ここで、一方のコントロールパネルが表示されている場合に、他方のコントロールパネルを表示するためのボタンが押下されても、その信号を処理して表示させてしまわないようにする。
【００３４】
図７はコントロールパネルの自動切換えを行う際の操作画面表示制御部１０２を中心とするデジタル放送受信機１０１の処理を表すフローチャートである。次にメインコントロールパネル２０１の操作画面が表示されているときに、「再生」ボタンが押下されて一定時間、操作が行われなかった場合、自動的に簡易コントロールパネル３０１の表示に切り換える手順について説明する。
【００３５】
例えば上述したように、「ボタンＡ」をが押下されてメインコントロールパネル２０１がテレビモニタ１０８の表示画面上に表示される。操作画面表示制御部１０２の操作入力判断部１０２Ａ−１は操作入力信号１１１の入力（受信）待ちを行う（ｆ６０１）。そして、操作入力信号１１１が送信されると操作指示内容を判断処理する。それが「再生」の操作指示であると判断すると（ｆ６０２）、「再生」を示すコマンド信号１１２を送信する（ｆ６０３）。他の操作指示であると判断すれば、その操作指示に基づく処理を行う（ｆ６０４）。特に、「再生」以外の録画／再生機器１０４に対する操作指示の場合にはコマンド信号１１２を送信し、ｆ６０１に戻って入力（受信）待ちを行う。
【００３６】
操作指示が「再生」であった場合には、その指示に基づいた録画／再生機器１０４からはパーシャルＴＳ形式の符号化映像・音声信号１２１が送信される。そして、映像音声処理部１０５等の復号化処理により、テレビモニタ１０８に映像が表示される（ｆ６０５）。
【００３７】
一方、操作画面処理部１０２では、タイマ手段１０２Ｃの計時に基づいて、入力監視タイム測定を開始する（ｆ６０６）。ここで、入力監視タイムとは、メインコントロールパネル２０１の操作画面から簡易コントロールパネル３０１への表示切り換えを行うための入力待ち時間のことである。この入力監視タイムとして所定時間を設定することができ、例えば本実施の形態では３〜５秒程度とする。操作画面表示制御部１０２の操作入力判断部１０２Ａ−１は操作入力信号１１１の入力（受信）待ちを行う（ｆ６０７）。そして、操作入力信号１１１が送信されると操作指示内容を判断処理する。その指示があらかじめ指定された操作指示であった場合には（ｆ６０８）、メインコントロールパネル２０１の操作画面からの表示切り換えを行わずに終了する。このあらかじめ指定された操作指示とは、例えば、方向ボタンによる方向の操作指示、「停止」、「巻き戻し」、「早送り」、「前番組」、「次番組」の操作指示等、視聴者がメインコントロールパネル２０１での操作指示継続を意図していると考えられる、指定された操作指示のことである。
【００３８】
タイマ手段１０２Ｃの計時に基づく入力監視タイムを越えた（タイムアウトした）ものと判断すると（ｆ６０９）、操作画面表示制御部２０１Ａ−２は、簡易コントロールパネル３０１を表示させるための操作画面表示信号１１５を送信する。これにより、テレビモニタ１０８の表示画面上には、メインコントロールパネル２０１に代わって簡易コントロールパネル３０１が映像と共に表示される（ｆ６１０）。
【００３９】
以上のように第１の実施の形態によれば、操作画面制御部１０２が操作指示等に基づく操作画面表示信号１１５を送信することにより、メインコントロールパネル２０１と簡易コントロールパネル３０１とを切り換えて、テレビモニタ１０８の表示画面上に映像に重畳させた表示を行えるようにしたので、視聴者が録画／再生機器１０４のステータス情報を知りたい場合にはメインコントロールパネル２０１を表示させるようにし、映像を見る場合には、表示面積が小さい簡易コントロールパネル３０１を表示させておくようにすることで、映像を見るためにコントロールパネル（操作画面）を非表示にしておき、操作を行おうとする度に操作画面を表示させるという視聴者の煩わしさを解消し、使い勝手のよい録画／再生機器１０４の操作等を行うことができる。
【００４０】
また、視聴者が割り当てた、あるボタン（ボタンＡ）を押下することによって送信される操作入力信号１１１に基づいて、ボタン押下による操作指示の回数に基づく操作画面表示信号１１５を操作画面制御部１０２Ａ−２が送信することで、非表示／メインコントロールパネル２０１の表示／簡易コントロールパネル３０１の表示の切換を行えるようにしたので、視聴者の操作を簡略化することができる。一方、あるボタン（ボタンＡ）をメインコントロールパネル２０１の表示、非表示切り換えの操作に割り当て、別のボタン（ボタンＢ）を簡易コントロールパネル３０１の表示、非表示切り換えの操作に割り当てるようにすれば、例えば、機器の扱いに慣れていない視聴者はメインコントロールパネル２０１を利用することができるし、録画／再生機器１０４のステータス情報の表示を必要としない場合は、簡易コントロールパネル３０１の表示、非表示だけを行わせることができるので、視聴者の好み、レベルに合った表示が可能となる。
【００４１】
また、タイマ手段１０２Ｃの計時に基づいて、入力監視タイムの間、あらかじめ定められた操作指示がなされないと判断すると、メインコントロールパネル２０１の表示から簡易コントロールパネル３０１の表示に自動的に切り換える操作画面表示信号１１５を送信するようにしたので、視聴者の操作を簡略化することができる。また、メインコントロールパネル２０１、簡易コントロールパネル３０１の表示位置を視聴者が設定できるので、映像内容に応じて視聴者が邪魔にならない位置を決定することができる。
【００４２】
実施の形態２．
図８は本発明の第２の実施の形態に係る簡易コントロールパネル３０１の表示を表すフローチャートである。例えば、映像の縦横比率とテレビモニタ１０８の画面の縦横比率とが異なる場合に、映像の縦横比率を整えるための黒帯部分が生じることがある。本実施の形態では、その黒帯部分に簡易コントロールパネル３０１の操作画面を表示させるものである。
【００４３】
図８に基づいて簡易コントロールパネル３０１の表示形態の決定について説明する。まず、簡易コントロールパネル３０１を表示する決定がなされると、操作画面表示制御部１０２Ａ−２は記憶手段１０２Ｂに記憶されているテレビモニタ１０８の表示画面の縦横比のデータを取得する（読み込む）（ｆ７０１）。ここで、図１ではデジタル放送受信機本体１０１とテレビモニタ１０８とが別体で構成されているので、視聴者がテレビモニタ１０８の縦横比のデータを設定することで記憶手段１０２Ｂに記憶させることとなる。デジタル放送受信機付きのテレビの場合は、視聴者が入力しなくてもあらかじめ設定されている。
【００４４】
さらに、映像・音声処理部１０５から処理中又は処理しようとする映像の情報のデータ（特に映像の縦横比のデータ）を取得する（ｆ７０２）。そして、取得したデータに基づいて、表示される映像のタイプ（映像が表示されない領域のタイプを示すものでもある）を判定する（ｆ７０３）。判定の詳細については後述する。
【００４５】
図９は画面表示例を表す図である。サイドパネル（テレビモニタ画面上の両脇（左右側）に黒帯部分が表示される）の映像であると判定した場合、黒帯部分の位置に縦型（ボタン画像が縦方向に連なる型）の簡易コントロールパネル３０１の画像が表示されるような操作画面表示信号１１５を送信する（ｆ７０４）。図９の８０１はサイドパネルの映像における画面表示例を示す。
【００４６】
また、判定結果がレターボックス（ＬＢ：テレビモニタ画面上の上下側に黒帯部分が表示される）の映像（例えば、ビスタサイズ、シネマスコープサイズの映像）であると判定した場合、黒帯部分の位置に横型（ボタン画像が横方向に連なる型）の簡易コントロールパネル３０１の画像が表示されるような操作画面表示信号１１５を送信する（ｆ７０６）。図８の８０２はレターボックスの映像における画面表示例を示す。また、黒帯部分が表示されないタイプの映像であると判定した場合、あらかじめ設定された表示位置（本実施の形態では例えば画面左下）に、例えば横型の簡易コントロールパネル３０１が表示されるような操作画面表示信号を送信する（ｆ７０５）。ここでは、画面左下に簡易コントロールパネル３０１を表示させるようにしたが、第１の実施の形態において設定した表示位置に表示されるような操作画面表示信号１１５を送信するようにしてもよい。以上により、視聴者の映像視聴を邪魔しない位置に簡易コントロールパネル３０１を表示させる。ここでは簡易コントロールパネル３０１について説明したが、メインコントロールパネル３０１についても同様の制御を行うことが可能である。
【００４７】
図１０は、図８のｆ７０３における操作画面表示制御部１０２Ａ−２の簡易コントロールパネル３０１の表示形態の判定を視覚的に表として表した図である。表（ｈ９０１）は、復号化前の映像・音声信号に含まれる映像の情報とテレビモニタ１０８画面設定の組み合わせでどのような画面表示が行われるかを示している。表（ｈ９０１）は、社団法人電波産業会発行の「ＡＲＩＢ  ＳＴＤ−Ｂ２１  ３．２版」Ｐ．２６〜Ｐ．２８を参考にしている。
【００４８】
ｈ９０２は映像・音声信号中に、データとして含まれるＳｅｑｕｅｎｃｅ  Ｈｅａｄｅｒと呼ばれる情報で映像全体の画面サイズを表す。縦方向のサイズがＶｅｒｔｉｃａｌ＿ｓｉｚｅ＿ｖａｌｕｅ（ｈ９０５）、横方向のサイズがＨｏｒｉｚｏｎｔａｌ＿ｓｉｚｅ＿ｖａｌｕｅ（ｈ９０６）として表される。ｈ９０７は後述するＳｅｑｕｅｎｃｅ  Ｄｉｓｐｌａｙ  ｅｘｔｅｎｓｉｏｎで指定される領域の縦横比を示す。ｈ９０３は映像・音声信号中に、データとして含まれるＳｅｑｕｅｎｃｅ  Ｄｉｓｐｌａｙ  ｅｘｔｅｎｓｉｏｎと呼ばれる情報で、映像中、有効な映像表示を行っている画面サイズを表す。縦方向のサイズがｄｉｓｐｌａｙ＿ｖｅｒｔｉｃａｌ＿ｓｉｚｅ（ｈ９０８）、横方向のサイズがｄｉｓｐｌａｙ＿ｈｏｒｉｚｏｎｔａｌ＿ｓｉｚｅ（ｈ９０９）として表される。
【００４９】
一方、ｈ９０４はテレビモニタ１０８の画面サイズを表し、縦横比が４：３（ｈ９１０）の場合と１６：９（ｈ９１１）の場合とに分かれる。
【００５０】
テレビモニタ１０８に表示される映像がレターボックス表示になる場合、有効な表示領域の縦横比（Ｓｅｑｕｅｎｃｅ  Ｈｅａｄｅｒのａｓｐｅｃｔ＿ｒａｔｉｏ＿ｉｎｆｏｒｍａｔｉｏｎ）ｈ９０７が１６：９で、表示させるテレビモニタ１０８の画面（記憶手段１０２Ｂに記憶されたデータ）が４：３の場合である。ｈ９０４中の（１）及び（４）が該当する。
【００５１】
一方、テレビモニタ１０８に表示される映像がサイドパネル表示になる場合、有効な表示領域の縦横比（Ｓｅｑｕｅｎｃｅ  Ｈｅａｄｅｒのａｓｐｅｃｔ＿ｒａｔｉｏ＿ｉｎｆｏｒｍａｔｉｏｎ）ｈ９０７が４：３で、表示させるテレビモニタ１０８の画面が１６：９の場合である。ｈ９０４中の（６）及び（７）が該当する。その他の場合は、テレビモニタ１０８に表示される映像に黒帯部分が表示されない。
【００５２】
以上のように、第２の実施の形態によれば、映像が表示されない領域である黒帯部分の表示の有無及びその種類（タイプ）を、多重化された映像・音声信号１１７、パーシャルＴＳ形式の映像・音声信号１２１に含まれる映像の縦横比のデータ及び記憶手段１０２Ｂに記憶されたテレビモニタ１０８の縦横比のデータに基づいて、操作画面制御部１０２が簡易コントロールパネル３０１の表示形態（縦型、横型）及び表示位置（黒帯部分が存在する場合には黒帯部分となる）を判断し、それに合わせた操作画面表示信号１１５を送信するようにしたので、視聴者の映像視聴を邪魔することなく簡易コントロールパネル３０１を表示させることができる。
【００５３】
実施の形態３．
上述の実施の形態では、簡易コントロールパネル３０１を用いたが、表示内容はメインコントロールと同じ内容にして、表示面積を小さくするために、例えば縮小（エリア単位で縮小率を異ならせるようにしてもよい）表示等を行ったコントロールパネルを簡易コントロールパネル３０１とすることにより、上述と同じ効果を奏することができる。
【００５４】
また、上述の実施の形態では、２種類の操作画面について、切り換え表示をおこなうようにしたが、これに限定されるものではなく、複数段階の表示面積を有する操作画面を用意しておき、切り換えるようにしてもよい。
【産業上の利用可能性】
【００５５】
この発明の活用例としてデジタル放送受信機（ＴＶ内蔵型（テレビモニタと一体になったもの）、外付け型）、デジタル放送録画／再生機器などに利用でき、使い勝手のよい操作を行うことができる。また、映像・音声データをデジタルデータでやりとりするデジタル放送受信機１０１について説明したが、アナログデータの映像・音声データを処理する放送受信機、録画／再生機器等についても適用することができる。
【図面の簡単な説明】
【００５６】
【図１】本発明の第１の実施の形態に係るシステム構成を表す図である。
【図２】操作画面制御部１０２の構成を表す図である。
【図３】メインコントロールパネル（第１の制御画面）の一例である。
【図４】簡易コントロールパネル（第２の制御画面）の一例である。
【図５】メインコントロールパネル２０１と簡易コントロールパネル３０１との表示切換の一例を表す図である。
【図６】メインコントロールパネル２０１と簡易コントロールパネル３０１との表示切換の他の例を表す図である。
【図７】コントロールパネルの自動切換え時フローチャートである。
【図８】本発明の第２の実施の形態に係る簡易コントロールパネル３０１の表示を表すフローチャートである。
【図９】画面表示例を表す図である。
【図１０】簡易コントロールパネル３０１の表示形態の判定を視覚的に表した図である。
【符号の説明】
【００５７】
１０１  デジタル放送受信機、１０２  操作画面制御部、１０２Ａ  データ処理手段、１０２Ａ−１  操作入力判断部、１０２Ａ−２  操作画面表示制御部、１０２Ａ−３  ステータス情報処理部、１０２Ｂ  記憶手段、１０２Ｃ  タイマ手段、１０３  入出力部、１０４  録画／再生機器、１０５  映像・音声処理部、１０６  アンテナ受信部、１０７  外部出力部、１０８  テレビモニタ、１０９  操作入力部又はリモコン受信部、１１１  操作入力信号、１１２  コマンド信号、１１３  ＡＶ／Ｃコマンド信号、１１４  ステータス情報信号、１１５  操作画面表示信号、１１６  デジタル放送電波、１１７  多重化された映像・音声信号、１１８  パーシャルＴＳ形式の映像・音声信号、１１９  復号化した映像・音声信号、１２０  外部出力信号、１２１  パーシャルＴＳ形式の映像・音声信号、２０１  メインコントロールパネル、２０２  メーカ名・型名表示エリア、２０３  操作制御ボタンエリア、２０４  状態表示エリア、２０５  テープカウンター表示エリア、２０６  テープ種類表示エリア、３０１  簡易コントロールパネル、３０２  操作制御ボタンエリア。
【図１】
2006025126.tif 000003
【図２】
2006025126.tif 000004
【図３】
2006025126.tif 000005
【図４】
2006025126.tif 000006
【図５】
2006025126.tif 000007
【図６】
2006025126.tif 000008
【図７】
2006025126.tif 000009
【図８】
2006025126.tif 000010
【図９】
2006025126.tif 000011
【図１０】
2006025126.tif 000012